(57)【要約】【課題】多くの手間と時間を要しながら、個人差によるバラツキが大きかった浮かし型枠の設置を高精度かつ簡易に行えるようにしたハーフＰＣ板とそれを用いる施工法を提供する。【解決手段】本発明によるハーフＰＣ板４は、壁、柱等の施工をするために用いられるものであり、床用ハーフ型枠部５と床用ハーフ型枠部の所定位置に配置する浮かし型枠用受け台６とから構成し、浮かし型枠７、８をこの浮かし型枠用受け台６に固定することで、設置を高精度かつ簡易にしながら壁、柱等の施工品質を確保している。【選択図】  図１
2004204505.tif 000002
【特許請求の範囲】
【請求項１】
浮かし型枠を用いる施工に適用するハーフＰＣ板であって、床用ハーフ型枠部と該床用ハーフ型枠部の所定位置に配置する浮かし型枠用受け台とから構成されるハーフＰＣ板。
【請求項２】
浮かし型枠を用いる施工に適用するハーフＰＣ板であって、床用ハーフ型枠部と立上り部とを連続して成るＬ型ハーフ型枠と該床用ハーフ型枠部の所定位置に配置する浮かし型枠用受け台とから構成されるハーフＰＣ板。
【請求項３】
浮かし型枠用受け台が、床用ハーフ型枠部と一体に成型されることを特徴とする請求項１又は２に記載のハーフＰＣ板。
【請求項４】
請求項１乃至３のいずれかに記載のハーフＰＣ板を用いる施工法であって、少なくとも浮かし型枠用受け台を備えて成るハーフＰＣ板を設置し、次いで該浮かし型枠用受け台の上に浮かし型枠を固定し、しかる後にコンクリートを打設することを特徴とする施工法。
【請求項５】
ハーフＰＣ板が、床用ハーフ型枠部と立上り部とを連続して成るＬ型ハーフ型枠と該床用ハーフ型枠部の所定位置に配置する浮かし型枠用受け台とから構成されることを特徴とする請求項４に記載の施工法。
【発明の詳細な説明】
【０００１】
【発明の属する技術分野】
本発明は、ハーフＰＣ板とそれを用いる施工法に関し、特に、浮かし型枠の設置を高精度かつ簡易に行えるハーフＰＣ板とそれを用いる施工法に関する。
【０００２】
【従来の技術】
建築物において床とその床面に柱や壁もしくは逆梁が配置されている場合、特に、ベランダ、バルコニー及び廊下等の手摺り壁や逆梁のように建物の外郭を形成している直壁の場合は、配置されている柱や立上がり壁等を構築するためにコンクリート打設用の型枠を設置する際に浮かし型枠を用いる場合がある。
【０００３】
これらの浮かし型枠を採用している場合の施工の例としては、図６（ａ）に示すように、バルコニー型枠３０を、スラブ用下型枠３１、その端部上に垂直に組み立てられた直壁用外型枠３２及びこの直壁用外型枠３２の内側に平行に組み立てられた浮かし型枠３３から構成している。各型枠は、堰板３４と、これを押さえる図示されない多数の支保工やセパレータによって組み立てられ、直壁用外型枠３２と直壁用内型枠３３の間にコンクリートの打設空間３５を形成し、同様にスラブ用下型枠３１上にコンクリートが打設される空間３６形成しており、各空間３５、３６にかけて屈曲して延びる多教の鉄筋３７等が組み込まれる。
【０００４】
この際の浮かし型枠３３は、図示のようにその底部を受金物３８で支持されているが、受金物３８は、屈曲した鋼製バタ角受け等が適当に転用されたものであり、鋼製脚部３８−１と水平な受け部３８−２とから構成されてスラブ用下型枠３１の上に立設されている。しかるに、この受金物３８は、作業員がスラブ用下型枠３１の上に経験的に配置しているものであり、確実に固定されているいるものでもないことから、配置位置の確定や安定性に関しては単に出来上がりに期待しているのみであった。
【０００５】
さらに、施工後のコンクリートは各受金物を通じて形成される浸透孔を形成することになり、側溝からの排水を階下に滴下させたり鉄筋を腐食させる要因になっていた。
【０００６】
【特許文献１】
特開平９−３２１０７号公報、（第３頁、段落符号００１０〜００１１、図２、）
【０００７】
又、図６（ｂ）に示す他の例では、ベランダ型枠４０が、床型枠４１と外側型枠４２及び浮かし型枠４３から構成されており、ベランダ型枠４０は、床型枠４１を設置した後に外側型枠４２を建込むと共に、床型枠４１の上に受金物４４を立設して内側型枠としての浮かし型枠４３を載置して、しかる後に、ベランダ型枠４０にコンクリートを打設して作製されるベランダ４５は、ベランダの床４６、手摺壁４７を形成している。
【０００８】
従って、浮かし型枠４３は、床型枠４１上の受金物４５で支持されているが、受金物４５の設立は手作業に因っていることから極めて不安定であると同時に、これによって設定される高さは不正確になってしまうことから、浮かし型枠４３の設置は、配置位置の確定や安定性に関して不充分極まりないものであった。
【０００９】
そして、本例の場合においても、施工後のコンクリートは各受金物を通じて形成される浸透孔を形成するものであり、同じく側溝からの排水を階下に滴下させたり鉄筋を腐食させる要因を形成していた。
【００１０】
【特許文献２】
特開２０００−２９１５７号公報、（第３頁、段落符号００１７０〜００２７、図１、）
【００１１】
以上のように、従来における浮かし型枠の適用は、床型枠への受金物の設置が人力によっていることから、次ぎのような多くの問題点を孕んでおり、高品質の施工を確保するためにも早急な改善が望まれていた。
【００１２】
▲１▼施工に多くの手間と時間を要していた。
▲２▼個人差による施工のバラツキが大きかった
▲３▼高さの設定と確立が不安定だった。
▲４▼浮かし型枠の設置精度が確保されなかった。
▲５▼コンクリート表面に異質の材料が露出することで表面水の浸透要因を形成している。
▲６▼側溝等からの浸透水が階下に滴下したり鉄筋を腐食させる。
【００１３】
【発明が解決しようとする課題】
本発明は、以上の状況に鑑みて提案するものであり、指摘されている上記の問題点を改善することで浮かし型枠の設置を高精度かつ簡易に行えるハーフＰＣ板とそれを用いる施工法の提供を目的にしている。
【００１４】
【課題を解決するための手段】
請求項１に記載の発明であるハーフＰＣ板は、浮かし型枠を用いる施工に適用するハーフＰＣ板において、床用ハーフ型枠部と床用ハーフ型枠部の所定位置に配置する浮かし型枠用受け台とから構成されており、浮かし型枠の設置を高精度かつ簡易にしながら施工品質を確保している。
【００１５】
請求項２に記載の発明であるハーフＰＣ板は、浮かし型枠を用いる施工に適用するハーフＰＣ板において、床用ハーフ型枠部と立上り部とを連続して成るＬ型ハーフ型枠と床用ハーフ型枠部の所定位置に配置する浮かし型枠用受け台とから構成されており、手摺り壁や逆梁のように垂直壁を施工する浮かし型枠の設置を高精度かつ簡易にしながら施工品質を確保している。
【００１６】
請求項３に記載の発明であるハーフＰＣ板は、請求項１又は２に記載のハーフＰＣ板において、浮かし型枠用受け台を床用ハーフ型枠部と一体に成型することを特徴としており、上記機能に加えて、浮かし型枠用受け台の位置設定を確立させている。
【００１７】
本発明による施工法は、上記ハーフＰＣ板を用いる施工法であって、少なくとも浮かし型枠用受け台を備えて成るハーフＰＣ板を設置し、次いで浮かし型枠用受け台の上に浮かし型枠を固定して、しかる後にコンクリートを打設して成り、ハーフＰＣ板を、床用ハーフ型枠部と立上り部とを連続して成るＬ型ハーフ型枠と床用ハーフ型枠部の所定位置に配置する浮かし型枠用受け台とから構成することを特徴としており、浮かし型枠の設置を高精度かつ簡易に施工することでコストを低減しながら品質を確保している。
【００１８】
【発明の実施の形態】
本発明によるハーフＰＣ板は、平板状の床用ハーフ型枠部もしくは床用ハーフ型枠部と立上り部とを連続して成るＬ型ハーフ型枠と、各床用ハーフ型枠部の所定位置に配置する浮かし型枠用受け台とから構成されており、これによって、床面の柱や壁及び逆梁、もしくはベランダ、バルコニー及び廊下の手摺り壁等を施工する際に用いる浮かし型枠の設置を高精度かつ簡易にしながら施工品質を確保している。
以下に、本発明によるハーフＰＣ板の実施の形態を図面に基づいて詳細に説明する。
【００１９】
図１は、本発明によるハーフＰＣ板の第１の実施形態を示す部分断面の斜視図である。
本実施の形態では、床面１に柱２や逆梁３を施工するために、ハーフＰＣ板４を設置している。ハーフＰＣ板４は、平板状の床用ハーフ型枠部５と床用ハーフ型枠部５の所定位置に配置されている浮かし型枠用受け台６とから構成されているので、床面用のコンクリートを打設ために床用ハーフ型枠部５を配置すると同時に、柱２及び逆梁３用の立上りコンクリートを打設するために、柱２用の浮かし型枠７と逆梁３用の浮かし型枠８、８を配置している。
【００２０】
柱２用の浮かし型枠７は、柱２を構成する主筋９の周囲に配置された浮かし型枠用受け台６の上に固定されており、逆梁３用の浮かし型枠８、８は、鉄筋１０を間に挟んで配置されている浮かし型枠用受け台６、６の上に互いに対峙された状態で固定されている。
【００２１】
各浮かし型枠は、ボルト等の固定具１１によって浮かし型枠用受け台に固着されると共に、図示のようにセパレータ１２と単管１３及び押え治具１４を用いる通常の保持形態で組み立てられている。
【００２２】
尚、浮かし型枠用受け台６、６の間に配置されている金網１５は、床用ハーフ型枠部５の鉄筋用スペーサー１６に被せるように配置されており、柱２及び逆梁３用の立上りコンクリートを打設する際にコンクリートの流動を抑止できるように対処している。
【００２３】
次いでの施工は、以上のハーフＰＣ板４と各浮かし型枠７、８等を配置した後に、床スラブ、逆梁及び柱のコンクリートは、打設されるものであり、打設コンクリートの所定の養生後に、これらの各浮かし型枠７、８等を脱型することで、床や床面上の柱及び逆梁を施工している。
【００２４】
以上のように、本実施の形態におけるハーフＰＣ板４は、平板状の床用ハーフ型枠部５と、床用ハーフ型枠部５の所定位置に配置する浮かし型枠用受け台６とから構成されており、図２の正面図（ａ）と側面図（ｂ）に示すように構成されている。
【００２５】
即ち、床用ハーフ型枠部５は、その表面に通常通りのトラス筋１７を配置して打設コンクリートとの接着力を強化するように構成され、床用ハーフ型枠部５の表面の所定位置に浮かし型枠用受け台６を所定の個数を配置しており、浮かし型枠用受け台６の上面には浮かし型枠を固着するためのネジ穴１８が構成されている
【００２６】
しかして、本実施の形態では、床用ハーフ型枠部５の成型が行なわれる際に浮かし型枠用受け台６を一体的に成型しているが、床用ハーフ型枠部５に対する浮かし型枠用受け台６の設置は、何等これに限定されるものでなく、必要な場合には、浮かし型枠用受け台６をブロック状に形成しておいて、床用ハーフ型枠部５の所定位置に仮止めすることでも、その施工は可能である。
【００２７】
次に示す図３は、本発明によるハーフＰＣ板の第２の実施形態を示すための部分断面にした斜視図であるが、上記実施の形態と同様の部位については同一の符号で表示している。
【００２８】
本実施の形態におけるハーフＰＣ板２０は、ベランダ、バルコニー及び廊下の手摺り壁もしくは逆梁等の立上り部を施工するために用いられるものであり、床用ハーフ型枠部２１と立上り部２２とを連続して成るＬ型ハーフ型枠２３と、床用ハーフ型枠部２１の所定位置に配置する浮かし型枠用受け台６とから構成されている。
【００２９】
本実施の形態では、柱２４と逆梁２５を施工するために、柱用の外側型枠２６と浮かし型枠２７、逆梁用のハーフＰＣ板２０と浮かし型枠２８を配置している。ハーフＰＣ板２０は、床面用のコンクリートを打設するためにＬ型ハーフ型枠２３の床用ハーフ型枠部２１を適用させ、逆梁２５に相当する立上り部におけるコンクリートの打設にはＬ型ハーフ型枠２３の立上り部２２を適応させており、立上り部２２に対峙させて逆梁２５用の浮かし型枠２８を配置している。
【００３０】
そして、柱２４用の浮かし型枠２７は、柱２４を構成する主筋９の周囲に配置された浮かし型枠用受け台６の上に固定されており、逆梁２５用の浮かし型枠２８は、鉄筋１０を間にして配置されている浮かし型枠用受け台６の上に固定されている。
【００３１】
各浮かし型枠が、ボルト等の固定具１１によって浮かし型枠用受け台に固着され、セパレータ１２と単管１３及び押え治具１４を用いて組み立てられている点は、上記実施の形態と同様である。
【００３２】
又、浮かし型枠用受け台６、６の間に配置されている金網１５で、柱２４及び逆梁２５用の立上りコンクリートが打設される際に流動するのを抑止させている点も上記実施の形態と同様である。
【００３３】
図４は、本実施の形態に用いるハーフＰＣ板２０を示す正面図（ａ）と側面図（ｂ）であり、床用ハーフ型枠部２１と立上り部２２とを連続して成るＬ型ハーフ型枠２３と、床用ハーフ型枠部２１の所定位置に配置する浮かし型枠用受け台６とからハーフＰＣ板２０が構成されている。
【００３４】
Ｌ型ハーフ型枠２３は、床用ハーフ型枠部２１とこれに垂直に連続して構成されている立上り部２２とから構成されており、床用ハーフ型枠部２１の所定位置には、必要とする複数の浮かし型枠用受け台６を配置してハーフＰＣ板２０を構成している。
【００３５】
尚、床用ハーフ型枠部２１の表面にトラス筋１７を配置して打設コンクリートとの接着力を強化する点、床用ハーフ型枠部５の表面の所定位置に配置された浮かし型枠用受け台６の上面に浮かし型枠を固着するためのネジ穴１８が構成される点及び浮かし型枠用受け台６の設置形態に関して、一体成型もしくはブロック状に形成して床用ハーフ型枠部２１に仮止めできる点も上記実施の形態と同様である。
【００３６】
次に、本発明による施工法について説明する。
本発明による施工法は、所定の位置に配置された浮かし型枠用受け台を備えて成る平板状、もしくは床用ハーフ型枠部と立上り部とを連続して成るＬ型ハーフ型枠から構成されているハーフＰＣ板を設置し、次いで浮かし型枠用受け台の上に浮かし型枠を固定して、しかる後にコンクリートを打設するものである。
【００３７】
以下に、本発明による施工法の実施の形態を図面に基づいて詳細に説明するが、図５は、床面に柱２と逆梁３を施工するためにハーフＰＣ板４を設置する本発明の施工法における各工程を示している。
【００３８】
図５（ａ）は、ハーフＰＣ板の設置工程を示しているものであり、所定位置に浮かし型枠用受け台６を配置されている平板状の床用ハーフ型枠部５が、柱主筋９の周辺に配置されている。
床用ハーフ型枠部５は、床面用のコンクリートの打設に対応させており、同時に逆梁３の鉄筋１０が床用ハーフ型枠部５上の浮かし型枠用受け台６、６の間に配筋されている。
【００３９】
尚、本実施の形態は、平板状の床用ハーフ型枠部５から成るハーフＰＣ板４を対象にしているが、上述した床用ハーフ型枠部２１と立上り部２２とを連続して成るＬ型ハーフ型枠２３を対象にしても、その施工工程は本質的に変るものでないので、以下の説明は、平板状の床用ハーフ型枠部５から成るハーフＰＣ板４のみについて行なっている。
【００４０】
図５（ｂ）は、浮かし型枠の設置工程を示しているものであり、床用ハーフ型枠部５の配置と同時に、柱２及び逆梁３用の立上りコンクリートを打設するために、柱２用の浮かし型枠７と逆梁３用の浮かし型枠８、８を配置している。
各浮かし型枠は、ボルト等の固定具１１によって浮かし型枠用受け台に固着されると共に、図示のようにセパレータ１２と単管１３及び押え治具１４を用いる通常の保持形態で組み立てられている。
【００４１】
図５（ｃ）は、床スラブ、柱及び逆打ち梁のコンクリートを打設する工程を示している。
ハーフＰＣ板４と各浮かし型枠７、８等が配置された後に、床スラブ、逆梁及び柱のコンクリートが打設される。逆梁や柱の打設コンクリートは、上述の浮かし型枠用受け台６、６の間に配置されている金網１５によって、床スラブ側に流動するのを適宜に抑止されており、全体が円滑にコンクリート１９の打設を完了して床用ハーフ型枠部５と一体に構成されることになる。
【００４２】
図５（ｄ）は、床スラブ、柱及び逆打ち梁の施工が完了する工程を示している。
上述の各工程を経てのコンクリート打設は、所定の養生後に各浮かし型枠７、８等を脱型することで完了するものであり、床面１や床面上の柱２及び逆梁３の施工を終了している。
【００４３】
以上のように、本発明による施工は、所定の位置に配置された浮かし型枠用受け台を備えて成る平板状もしくは床用ハーフ型枠部と立上り部とを連続して成るＬ型ハーフ型枠のハーフＰＣ板を設置し、浮かし型枠用受け台の上に浮かし型枠を固定してからコンクリートを打設しているので、浮かし型枠の設置を高精度かつ簡易に施工することでコストを低減しながら高品質を確保している。
【００４４】
以上、本発明を実施の形態に基づいて詳細に説明してきたが、本発明によるハーフＰＣ板とそれを用いる施工法は、上記実施の形態に何ら限定されるものでなく、建物躯体の具体的な形状等については本発明の上記の趣旨を逸脱しない範囲において、種々の変更が可能であることは当然である。
【００４５】
【発明の効果】
請求項１に記載のハーフＰＣ板は、浮かし型枠を用いる施工に適用するハーフＰＣ板において、床用ハーフ型枠部と床用ハーフ型枠部の所定位置に配置する浮かし型枠用受け台とから構成されているので、浮かし型枠の設置を高精度かつ簡易にしながら施工品質を確保できる効果を奏している。
【００４６】
請求項２に記載のハーフＰＣ板は、浮かし型枠を用いる施工に適用するハーフＰＣ板において、床用ハーフ型枠部と立上り部とを連続して成るＬ型ハーフ型枠と床用ハーフ型枠部の所定位置に配置する浮かし型枠用受け台とから構成されているので、手摺り壁や逆梁のように垂直壁を施工する浮かし型枠の設置を高精度かつ簡易にしながら施工品質を確保できる効果を奏している。
【００４７】
請求項３に記載のハーフＰＣ板は、請求項１又は２に記載のハーフＰＣ板において、浮かし型枠用受け台を床用ハーフ型枠部と一体に成型することを特徴としているので、上記効果に加えて、浮かし型枠用受け台の位置設定を確立できる効果を奏している。
【００４８】
本発明による施工法は、上記ハーフＰＣ板を用いる施工法であって、少なくとも浮かし型枠用受け台を備えて成るハーフＰＣ板を設置し、次いで浮かし型枠用受け台の上に浮かし型枠を固定して、しかる後にコンクリートを打設し、ハーフＰＣ板を、床用ハーフ型枠部と立上り部とを連続して成るＬ型ハーフ型枠と床用ハーフ型枠部の所定位置に配置する浮かし型枠用受け台とから構成することを特徴としているので、浮かし型枠の設置を高精度かつ簡易に施工することでコストを低減しながら品質を確保できる効果を奏している。
【図面の簡単な説明】
【図１】本発明によるハーフＰＣ板を適用する第1の実施の形態を示す部分断面の斜視図
【 図２】本発明によるハーフＰＣ板に関する第1の実施の形態図
【 図３】本発明によるハーフＰＣ板を適用する第２の実施の形態を示す部分断面の斜視図
【 図４】本発明によるハーフＰＣ板に関する第２の実施の形態図
【 図５】本発明によるハーフＰＣ板を用いる施工法を示す工程図
【 図６】従来の浮かし型枠を用いる施工例図
【符号の説明】
１  床面、  ２、２４  柱、  ３、２５  逆梁、  ４、２０  ハーフＰＣ板、
５、２１  床用ハーフ型枠部、  ６  浮かし型枠用受け台、
７、８  浮かし型枠、  ９  主筋、  １０  鉄筋、  １１  固定具、
１２  セパレータ、  １３  単管、  １４  押え治具、  １５  金網、
１６  鉄筋用スペーサー、  １７  トラス筋、  １８  ネジ穴、
１９  コンクリート、  ２２  立上り部、  ２３  Ｌ型ハーフ型枠、
２６  外側型枠、  ２７、２８  浮かし型枠、  ３０  バルコニー型枠、
３１  スラブ用下型枠、  ３２  直壁用外型枠、  ３３  浮かし型枠、
３４  堰板、  ３５  コンクリートの打設空間、  ３６  空間、
３７  鉄筋、  ３８  受金物、  ３８−１  鋼製脚部、  ３８−２  受け部、
４０  ベランダ型枠、  ４１  床型枠、  ４２  外側型枠、
４３  浮かし型枠、  ４４  受金物、  ４５  ベランダ、  ４６  床、
４７  手摺壁、
【図１】
2004204505.tif 000003
【図２】
2004204505.tif 000004
【図３】
2004204505.tif 000005
【図４】
2004204505.tif 000006
【図５】
2004204505.tif 000007
【図６】
2004204505.tif 000008